(57)【要約】【課題】一つの梱包箱から、容易な操作で複数形態の再利用収納箱を選択的に複数取得することができ、再利用化の機会を向上することができる梱包箱を提供する。【解決手段】六面の立体形状に組み付けられた箱本体２の隣接する四壁面２１，２２，２３，２４又は四壁面２１，２２，２５，２６又は四壁面２１，２２，２３，２５に連続する複数の帯状開封体２８ａ，２８ｂ，２８ｃが形成され、複数の帯状開封体２８ａ，２８ｂ，２８ｃを選択的に切り取ることによって対向する二壁面２１，２２とこの二壁面２１，２２に連続する三辺に跨る壁面２３，２６，２４又は二辺に跨る壁面２３，２４又は壁面２３，２６の一部を残存させて再利用収納箱３１，３２又は再利用収納箱３３，３４を形成することができる。【選択図】      図２
0003148105.tif 000002
【実用新案登録請求の範囲】
【請求項１】
六面の立体形状に組み付けられた箱本体の隣接する四壁面に連続する複数の帯状開封体が形成され、該複数の帯状開封体を選択的に切り取ることによって対向する二壁面と該二壁面に連続する二辺又は三辺に跨る壁面の各一部を残存させて内容物取出用開放部を兼用する開放部を有する複数形態の再利用収納箱を形成することを特徴とする梱包箱。
【請求項２】
前記複数の帯状開封体は、一個の前記箱本体から大きさ又は形状が異なる二つの再利用収納箱を形成することを特徴とする請求項１に記載の梱包箱。
【請求項３】
前記再利用収納箱の一つには、前記帯状開封体の形状によって切り欠きが形成され、前記箱本体の内部には、前記切り欠きと係合して他の同一梱包箱によって形成された前記再利用収納箱の一つと同一の再利用収納箱を上下に連続させるスタック材が内容物として梱包されていることを特徴とする請求項１又は請求項２に記載の梱包箱。
【考案の詳細な説明】
【技術分野】
【０００１】
本考案は、六面の立体形状に組み付けられて内容物を輸送する際等に用いられる梱包箱に関し、特に、ダンボール等の紙製からなり、さらに、定期刊行物等の梱包に最適な梱包箱に関する。
【背景技術】
【０００２】
従来から、各種内容物を郵便又は宅配便として輸送する際には、比較的保形性が高くしかも耐衝撃性を備えたダンボール等の梱包箱が用いられている。
【０００３】
また、このような梱包箱は、その用途に応じて円錐や角錐或いは円柱や多角柱等の特殊形状のものも知られているが、展開形状の形成の容易性並びに組み立ての容易性等から、六面の立方体若しくは直方体の立体形状に組み付けられるのが一般的である。
【０００４】
この際、梱包箱は、その一面（特に、上面）を開放端とする六面一体型の他、蓋体を別途に有する分割型等が周知である。
【０００５】
ところが、これらの梱包箱にあっては、近年の資源の再利用化に伴い、その殆どが再生紙用として回収処分されることが多く、輸送先等のユーザがその梱包箱を再利用するとしても、比較的大型な梱包箱にあっては衣服等の収納箱としてそのまま或いは一部を切り取って（例えば、特許文献１参照）再利用することはあっても、特に、カタログや書籍といった定期刊行物等を内容物とした比較的小型な梱包箱にあっては、再利用されることが殆ど少ないばかりでなく、その開封時に破れてしまって再利用が困難となったり、そのままゴミとして廃棄処分とされてしまうことが多かった。
【０００６】
尚、比較的小さな梱包箱の再利用を可能とした技術として、内容物がスタンド型ディスプレイであった場合の、そのスタンドとして組み付けるものが知られている（例えば、特許文献２参照）。
【特許文献１】特開２００６−０３６２８０号公報
【特許文献２】特開２００４−１９６４１９号公報
【考案の開示】
【考案が解決しようとする課題】
【０００７】
ところが、上記の如く構成された梱包箱にあっては、例えば、特許文献１に開示の梱包箱に合っては、比較的大きな梱包箱には有用であるものの、比較的小型な梱包箱には適用が困難なばかりでなく、その再利用収納箱の形態としては一種類に限定されるものであった。
【０００８】
また、特許文献２に開示の梱包箱にあっては、特殊（専用）な用途の再利用に限定されてしまうばかりでなく、その再利用収納箱の形態としては一種類に限定されるものであった。
【０００９】
尚、ダンボール箱を所望の形状に切ってユーザレベルで好みの再利用収納箱を形成することはあるが、その加工は面倒であるうえ、所望の形状に切り取ることも困難であるという問題が生じていた。
【００１０】
そこで、本考案は、上記事情を考慮し、一つの梱包箱から、容易な操作で複数形態の再利用収納箱を選択的に複数取得することができ、再利用化の機会を向上することができる梱包箱を提供することを目的とする。
【課題を解決するための手段】
【００１１】
本考案の梱包箱は、六面の立体形状に組み付けられた箱本体の隣接する四壁面に連続する複数の帯状開封体が形成され、該複数の帯状開封体を選択的に切り取ることによって対向する二壁面と該二壁面に連続する二辺又は三辺に跨る壁面の各一部を残存させて内容物取出用開放部を兼用する開放部を有する複数形態の再利用収納箱を形成することを特徴とする。
【００１２】
この際、前記複数の帯状開封体は、一個の前記箱本体から大きさ又は形状が異なる二つの再利用収納箱を形成することができる。
【００１３】
また、前記再利用収納箱の一つには、前記帯状開封体の形状によって切り欠きが形成され、前記箱本体の内部には、前記切り欠きと係合して他の同一梱包箱によって形成された前記再利用収納箱の一つと同一の再利用収納箱を上下に連続させるスタック材が内容物として梱包されていることを特徴とする。
【考案の効果】
【００１４】
本考案の梱包箱は、一つの梱包箱から、容易な操作で複数形態の再利用収納箱を選択的に複数取得することができ、再利用化の機会を向上することができる。
【考案を実施するための最良の形態】
【００１５】
次に、本考案の一実施形態に係る梱包箱について、図面を参照して説明する。
【００１６】
図１は本考案の一実施形態に係る梱包箱の展開状態の正面図、図２は本考案の一実施形態に係る梱包箱の斜視図、図３は本考案の一実施形態に係る梱包箱の再利用収納箱の一形態の使用状態の斜視図、図４は本考案の一実施形態に係る梱包箱の再利用収納箱の他の一形態の使用状態の斜視図、図５は本考案の一実施形態に係る梱包箱の再利用収納箱のさらに他の一形態の使用状態の斜視図、図６は本考案の一実施形態に係る梱包箱に収納されたスタック材の斜視図、図７は本考案の一実施形態に係る再利用収納箱を連続させる際の説明図である。
【００１７】
まず、図１に示すように、本発明の梱包箱１を構成する箱本体２は、その展開状態において、例えば、Ａ４サイズの書籍等を内容物として収納可能となる面積を備えた対向する二壁面２１，２２を構成する部分と、その二壁面２１，２２の四辺間に跨って箱本体２の厚さを構成する四つの周壁２３，２４，２５，２６と、箱本体２の組み立て用のり代２７ａ〜２７ｈからなり、この各のり代２７ａ〜２７ｈを利用することにより、図２に示すような六面の立体形状に組み付けられる。尚、本実施の形態においては、周壁２３と組み立て用のり代２７ｈとが重なり合っている。
【００１８】
この組み付け状態において、本考案の一実施形態に係る梱包箱１は、六面の立体形状に組み付けられた箱本体２の隣接する四壁面２１，２２，２３，２４と四壁面２１，２２，２５，２６と四壁面２１，２２，２３，２５にそれぞれ連続する複数の帯状開封体２８ａ，２８ｂ，２８ｃがそれぞれ形成され、これら複数の帯状開封体２８ａ，２８ｂ，２８ｃを選択的に切り取ることができる。
【００１９】
例えば、帯状開封体２８ａを切り取ることによって、図３に示すように、対向する二壁面２１，２２とこの二壁面２１，２２に連続する三辺に跨る壁面２３，２６，２４の一部を残存させて開放部２９ａを有する再利用収納箱３１と、対向する二壁面２１，２２とこの二壁面２１，２２に連続する三辺に跨る壁面２３，２５，２４の一部を残存させて再利用箱３１と大小が異なり且つ略同一形状の再利用収納箱３２（図２にのみ図示）とを形成することができる。又、帯状開封体２８ｂ及び帯状開封体２８を切り取ることによって、図４に示すように、帯状開封体２８ｂの切り取りに起因して対向する二壁面２１，２２とこの二壁面２１，２２に連続する二辺に跨る壁面２３，２４の一部を残存させて開放部２９ｂを有する再利用収納箱３３と、図５に示すように、帯状開封体２８ｃの切り取りに起因して対向する二壁面２１，２２とこの二壁面２１，２２に連続する二辺に跨る壁面２３，２６の一部を残存させて開放部２９ｃを有する再利用収納箱３４とを形成することができる。
【００２０】
尚、帯状開封体２８ａ，２８ｂ，２８ｃの幅は、箱本体２の大きさやダンボールの厚さ等を考慮して決定される。
【００２１】
これにより、もともとの箱本体２に梱包されていた内容物や別途の私有物等として、例えば、再利用収納箱３１，３２にあっては箱本体２の最大許容量を最大とする比較的大きなカタログ３５等を、再利用収納箱３３にあっては比較的小さなＣＤケース３６，３７等を、再利用収納箱３４にあっては比較的小さな取扱説明書３８等を、収納することができる。
【００２２】
尚、各開放部２９ａ又は開放部２９ｂ（２９ｃ）は、箱本体２の内容物を取り出す際の開放部を兼用しているため、再利用収納箱３１，３２又は再利用収納箱３３（３４）を形成する際の帯状開封体２８ａ，２８ｂ，２８ｃの開封作業と同時に、内容物取り出し用の開放部を形成することができ、再利用収納箱３１，３２又は再利用収納箱３３（３４）を形成せずに、不測に箱本体２を解体してしまうことを防止し得て、容易な作業で再利用収納箱３１，３２又は再利用収納箱３３（３４）を取得することができる。
【００２３】
再利用収納箱３３は、二壁面２１，２２に連続する二辺の端部側の一辺に位置する壁面２４を利用して、その壁面２３と連続する壁面２４ａに向けて非連続側壁面（端部）２４ｂを連続側壁面２４ａ（再利用収納箱３３の底面を形成）に向けて複数回折り返すことによって開放部２９ｂを上向きとする傾斜脚部として機能することができる。尚、この非連続側端部２４ｂの先端は、連続側壁面２４の壁面２３との連続部分（角部）に差し込むのが好ましい。
【００２４】
また、箱本体２の内部には、図６に示すように、繰り抜きによってスタック材３９を取得することができるダンボールシート４０が梱包されている。
【００２５】
このスタック材３９は、例えば、再利用収納箱３４の上縁を形成する各辺の一部に帯状開封体２８ｃの形状によって形成された切り欠き２１ａ，２２ａ，２３ａと係合することにより、図７に示すように、定期刊行物等を内容物とした場合等に、同一の他の箱本体２によって形成された同一の再利用収納箱３４を縦横に連続させることができる。
【００２６】
この際、再利用収納箱３４に貼り付けた両面シール方式の宛名シール４１の宛名記載部分４１ａを剥がすことにより、隣接する再利用収納箱３４を貼り付け固定することができる。
【００２７】
尚、箱本体２の側面に上述した複数形態の各再利用収納箱３１，３２，３３，３４の完成図を直接印刷、或いは、印刷テープの貼り付け等によって設けることができる。この際、完成図は、例えば、帯状開封体２８ａ，２８ｂ，２８ｃの切り取り説明図として帯状開封体２８ａ，２８ｂ，２８ｃの近傍に印刷等によって設けることも可能である。
【００２８】
また、再利用収納箱３１，３２又は再利用収納箱３３，３４として分割した際には、それらの対向する二壁面２１，２２の一方の面積は、その一方の壁面２１又は壁面２２を利用して宛名又は内容物説明書又は保証書等の貼り付けスペースとするだけの面積を確保するのが好ましい。
【００２９】
さらに、帯状開封体２８ａ，２８ｂ（又は２８ｃ）には、開封操作開始用の繰り抜き部２８ｄ，２８ｅを設けるのが良い。
【００３０】
このように、本考案の箱本体２によれば、複数の帯状開封体２８ａ又は帯状開封体２８ｂ，２８ｃを選択的に切り取ることによって、一つの箱本体２から、対向する二壁面２１，２２と、この二壁面２１，２２に連続する壁面２３，２４，２５，２６の何れか２面又は３面の一部を残存させて開放部２９ａ，２９ｂ，２９ｃを有する複数形態の再利用収納箱３１，３２，３３，３４を容易に取得することができ、箱本体２の再利用化の機会を向上することができる。
【００３１】
ところで、上記実施の形態に示した箱本体２の形状や大きさ等は任意であり、例えば、二壁面２１，２２の大きさ（広さ）や、周壁としての壁面２３，２４，２５，２６の厚さ（幅）等は、内容物の大きさや量等によって適宜変更することができる。
【００３２】
この際、その内容物の種類等によっては、例えば、帯状開封体２８ａによって再利用収納箱３１のみが形成され、残余の部位は破棄する形状とする等、一つの箱本体２に複数の帯状開封体（２８ａ，２８ｂ，２８ｃ）が形成され、その複数の帯状開封体（２８ａ，２８ｂ，２８ｃ）を選択的に切り取るこるとによって、複数のうちの任意の再利用収納箱（３１，３２，３３，３４）を取得することができれば、帯状開封体や再利用収納箱の形状等は任意である。
【００３３】
また、箱本体２を六面体の立体形状に組み立ててその形状を維持するための組み立て用のり代２７ａ〜２７ｈの設置位置や設置数並びに大きさ等は、箱本体２の大きさ等によって任意である。
【図面の簡単な説明】
【００３４】
【図１】本考案の一実施形態に係る梱包箱の展開状態の正面図である。
【図２】本考案の一実施形態に係る梱包箱の斜視図である。
【図３】本考案の一実施形態に係る梱包箱の再利用収納箱の一形態の使用状態の斜視図である。
【図４】本考案の一実施形態に係る梱包箱の再利用収納箱の他の一形態の使用状態の斜視図である。
【図５】本考案の一実施形態に係る梱包箱の再利用収納箱のさらに他の一形態の使用状態の斜視図である。
【図６】本考案の一実施形態に係る梱包箱に収納されたスタック材の斜視図である。
【図７】本考案の一実施形態に係る再利用収納箱を連続させる際の説明図である。
【符号の説明】
【００３５】
１…梱包箱
２…箱本体
２１…壁面（対向する二壁面）
２２…壁面（対向する二壁面）
２３…壁面（周壁）
２４…壁面（周壁）
２５…壁面（周壁）
２６…壁面（周壁）
２８ａ…帯状開封体
２８ｂ…帯状開封体
２８ｃ…帯状開封体
２９ａ…開放部
２９ｂ…開放部
２９ｃ…開放部
３１…再利用収納箱
３２…再利用収納箱
３３…再利用収納箱
３４…再利用収納箱
【図１】
0003148105.tif 000003
【図２】
0003148105.tif 000004
【図３】
0003148105.tif 000005
【図４】
0003148105.tif 000006
【図５】
0003148105.tif 000007
【図６】
0003148105.tif 000008
【図７】
0003148105.tif 000009